(57)【特許請求の範囲】
【請求項１】
除湿装置本体内に着脱可能に設けた排水タンクは、上方に開口部を設けたタンクケース、およびタンクケースの開口部を覆いドレン孔を設けた蓋と、前記タンクケースの上端に設けた軸孔に回動可能に軸支されるハンドルから構成され、前記ハンドルの回動軸の側面に形成した突起部と、前記タンクケースの軸孔の上部に形成した補強リブを有し、前記ハンドルを上方に回動したとき、前記回動軸の突起部が前記補強リブに当接してなる除湿装置の排水タンク。
【請求項２】
回動軸に設けた突起部の先端部は、回動軸の中心から前記先端部までの距離より大なる曲率半径の曲面または平面を有してなる請求項１記載の除湿装置の排水タンク。
【請求項３】
補強リブに下向きの凹部を形成し、この凹部に突起部の先端部が係合可能とした請求項１または２記載の除湿装置の排水タンク。
【請求項４】
ハンドルの回動軸の中心に小穴部を形成し、この小穴部に嵌入可能な補強金具を設けてなる請求項１〜３のいずれかに記載の除湿装置の排水タンク。
【請求項５】
蓋に規制リブを設け、ハンドルを前記蓋の上面に倒したときは、前記規制リブがハンドルの取手部以外の付属部に近接することにより、前記付属部を持ち上げにくくし、前記ハンドルの取手部のみを持ち上げ易くした請求項１〜４のいずれかに記載の除湿装置の排水タンク。
【発明の詳細な説明】
【技術分野】
【０００１】
本発明は、除湿装置の本体から発生するドレン水を集めて貯水するとともに、満水時には本体から引き出して運搬し、排水を行なう除湿装置の排水タンクに関する。
【背景技術】
【０００２】
従来のこの種の除湿装置の排水タンクは、排水時に着脱する小蓋を設けたものが知られている（例えば、特許文献１参照）。
【０００３】
図１２〜図１４に示すように、除湿装置の本体１０１は送風装置１１０、蒸発器１１１、凝縮器１１２などからなる冷凍サイクル１１３の動作によって、蒸発器１１１が冷えて結露することで除湿する。この除湿水を集めて排水タンク１０２に導くドレンパン１０７が蒸発器１１１と排水タンク１０２の間に位置している。排水タンク１０２は除湿装置の本体１０１に着脱可能に収納され、排水タンク１０２の開口する上面には、排水口１０３を有する大蓋１０４が取り付けられ、排水口１０３を開閉するための小蓋１０５が着脱可能に係合している。大蓋１０４または小蓋１０５には、本体１０１から滴下するドレン水を排水タンク１０２内に誘導するドレン孔１０６が設けられている。排水タンク１０２に溜まった貯水を排水するときは、大蓋１０４に設けた小蓋１０５を外して、両手で一方に傾けることにより、貯水を放出できるものである。
【０００４】
また、排水タンク１０２には底面や側壁から立設するリブ１０２Ａを設けたものが知られている（例えば、特許文献２参照）。
【０００５】
図１５に示すように、リブ１０２Ａは、水が溜まった排水タンク１０２を、本体１０１から取り出すときや運ぶときに、水面の揺動によって排水タンク１０２外に貯水が漏出しないように、波立ちを抑制するものである。
【０００６】
また、排水タンク１０２には取手１０８が設けられたものが知られている（例えば、特許文献３参照）。
【０００７】
図１６に示すように、取手１０８を使用して、排水タンク１０２の本体１０１からの引き出しや、持ち運びを容易にすることができるものである。
【先行技術文献】
【特許文献】
【０００８】
【特許文献１】特開２００１−２６３７２２号公報
【特許文献２】特開２００３−９７８２３号公報
【特許文献３】特開２００１−１７９０３５号公報
【発明の概要】
【発明が解決しようとする課題】
【０００９】
本発明は、使い勝手のよい除湿装置の排水タンクを提供することを目的としている。
【課題を解決するための手段】
【００１０】
上記した目的を達成するために、本発明が講じた第１の課題解決手段は、ハンドルの回動軸の側面に形成した突起部と、タンクケースの軸孔の上部に形成した補強リブを有し、前記ハンドルを上方に回動したとき、前記回動軸の突起部が前記補強リブに当接したものである。
【００１１】
この手段により、通常は排水タンクをハンドルの回転軸または突起部のどちらか一方または双方で支持するが、排水タンクが満水時や衝撃が掛かる時には、排水タンクとハンドルが重量や衝撃の歪みによって変形し、排水タンクをハンドルの回転軸と突起部の双方で支持することとなる。
【００１２】
また、本発明が講じた第２の課題解決手段は、回動軸に設けた突起部の先端部は、回動軸の中心から前記先端部までの距離より大なる曲率半径の曲面または平面を有したものである。
【００１３】
この手段により、排水タンクが満水の時に、補強リブの平面と接触する突起部の先端部が回転軸半径より大きいので、ハンドルが垂直方向から回転すると元の垂直方向に戻ろうとする力が発生するため、排水タンクが揺れるのを防ぐこととなる。また、排水タンクの重量の増加に伴い、戻ろうとする力の作用は大きなリ、より安定することとなる。
【００１４】
また、本発明が講じた第３の課題解決手段は、補強リブに下向きの凹部を形成し、この凹部に回動軸の突起部の先端部が係合可能としたものである。
【００１５】
この手段により、ハンドルをもって排水タンクを持つと、補強リブの凹形状に突起部の先端部が係合し、排水タンクが揺れるのを防ぐこととなる。また、排水タンクの重量の増加に伴ない係合の作用は大きなリ、より安定することとなる。
【００１６】
また、本発明が講じた第４の課題解決手段は、ハンドルの回動軸の中心に小穴部を形成し、この小穴部に嵌入可能な補強金具を設けたものである。
【００１７】
この手段により、ハンドルの軸に加わる設定荷重の変化に対応して、補強金具にて補強できることとなる。
【００１８】
また、本発明が講じた第５の課題解決手段は、蓋に規制リブを設け、ハンドルを前記蓋の上面に倒したときは、前記規制リブがハンドルの取手部以外の付属部に近接することにより、前記付属部を持ち上げにくくし、前記ハンドルの取手部のみを持ち上げ易くしたものである。
【００１９】
この手段により、ハンドルを蓋の上面に倒したときは、規制リブがハンドルの取手部以外の付属部に近接することにより、前記付属部を持ち上げにくくなり、前記ハンドルの取手部のみを持ち上げることが容易となる。
【発明の効果】
【００２０】
本願発明は、かかる構成とすることにより以下に記載されるような効果を奏するものである。
【００２１】
また、排水タンクに負荷がかかる場合に支持箇所が増え支持強度を向上することができる。
【００２２】
また、通常は回転可能であるが、排水タンクに水が貯まり重くなるにしたがって、回転を抑制して排水タンクを安定して持つことができる。
【００２３】
また、設計重量の変化に応じ、同一のハンドルにて対応することができる。
【００２４】
また、誤ってハンドルの取手部以外を持つことを避けることができる。
【図面の簡単な説明】
【００２５】
【図１】前提例にかかる除湿装置の排水タンクの正面透視図
【図２】同、ドレンパンの裏側にドレン水が付着する状態を示す正面透視図
【図３】同、除湿装置の本体から排水タンクを引き出した状態を示す斜視図
【図４】同、タンクケースの排水時に傾けた状態を示す上面図
【図５】同、排水タンクの平面図
【図６】同、除湿装置の本体から排水タンクを引き出した状態を示す正面透視図
【図７】（イ）本発明の実施形態１にかかる排水タンクの側面図、（ロ）同、排水タンクのハンドルが垂直状態の要部拡大図
【図８】同、排水タンクのハンドルが垂直から傾斜したときの要部拡大図
【図９】同、他の排水タンクのハンドルが垂直状態の要部拡大図
【図１０】同、排水タンクの概略断面図
【図１１】同、排水タンクの外観斜視図
【図１２】従来の除湿装置の排水タンクの分解斜視図
【図１３】同、除湿装置の本体から排水タンクを引き出した状態を示す斜視図
【図１４】同、除湿装置の本体に排水タンクを装着時の断面図
【図１５】同、他の排水タンクの外観図
【図１６】同、その他の排水タンクの正面図
【発明を実施するための形態】
【００２６】
（前提例）
図１〜図６に示すように、除湿装置の本体１０１は送風装置（図示せず）、蒸発器１１１などからなる冷凍サイクル１１３の動作によって、蒸発器１１１が冷えて結露することで除湿する。この除湿水を集めて排水タンク１に導くドレンパン１０７が、蒸発器１１１と排水タンク１の間に構成される。排水タンク１は、上部に開口部２を有するタンクケース３と、開口部２を覆う蓋５を着脱可能に設けている。
【００２７】
ドレンパン１０７の下に配置されるタンクケース３の開口部２の形状は、平面で透視すると蒸発器１１１の下面全体の大きさを略覆う形状をなし、蒸発器１１１で冷やされたドレンパン１０７の裏側から滴下するドレン水を受けることのできる形状としている。
【００２８】
また、図３および図４に示すように、タンクケース３の左側面に平面状の平側壁６を設け、この平側壁６に延設してタンクケース裏面７から突起する排水凸部８を一体に形成している。
【００２９】
また、図１〜図３に示すように、蓋５の外周に設けたタンクケース３の上端辺に着脱可能に係合する溝部９と、排水凸部８に対応して蓋５に設けた蓋凸部１０を有し、この蓋凸部１０を横断するヒンジ部１１を形成するとともに、蓋凸部１０に溝部９を設け、排水凸部８の上方を開閉可能とする。また、ドレンパン１０７に蓋凸部１０を閉めるガイド１２を設けている。
【００３０】
また、図５に示すように、蓋５に形成するドレン孔４の位置を、着脱方向に対して蓋５の中央より手前側に設けて、ドレン孔４からの水滴飛散を防止できるようにしている。
【００３１】
また、図６に示すように、排水凸部８の底面を排水底面１３となし、この排水底面１３をタンクケース３の底面より上方に形成し、排水底面１３とタンクケース３の底面の間に曲面部１４を設ける構成としている。
【００３２】
上記構成において、蒸発器１１１にて発生した除湿水と、蒸発器１１１にて冷やされてドレンパン１０７の下面が結露しやすい状態となる。とくに蒸発器１１１の下部に近接または当接するドレンパン１０７の下面で結露して、水滴となったドレン水が滴下するが、蒸発器１１１の下面全体をほぼ覆うようにタンクケース３の開口部２で受けているので、滴下したドレン水は排水タンク１内に回収することができる。
【００３３】
また、蒸発器１１１の下のドレンパン１０７のドレン水を回収する開口部２の一部を排水凸部８としているので、形状的に排水口を認識しやすく、圧縮機の側面の空間を排水凸部８に利用でき、図４のように排水時に排水凸部８を下にしたときに、タンクケース３に水の溜まる箇所がなく、矢印のように排水凸部８以外から水が出ることなく、スムースに排水することができる。
【００３４】
また、蓋凸部１０を閉めた状態においては、蓋凸部１０をヒンジ部１１と溝部９で確実に固定できるので、蓋凸部１０からは水が漏れないようになる。さらに、蓋凸部１０を開けた状態においては、ヒンジ部１１で蓋５と一体となっているので、従来に比べて、蓋部分が落ちたり外れることなく、便利に排水できることとなる。
【００３５】
また、蓋凸部１０が完全に閉じていない状態で排水タンク１が除湿装置の本体１０１に挿入された場合、蓋凸部１０の上面がガイド１２の傾斜した曲面に沿って押し下げられるので、蓋凸部１０は排水凸部８の上面を確実に閉じることができ、排水凸部８から水漏れを起こさないようにできる。同時に、排水タンク１が本体１０１に挿入された後に、不可抗力による振動などがあっても、蓋凸部１０が浮き上がらないようにガイド１２により押さえられ、水漏れを起こすことがない。さらに、蓋凸部１０が他の部分に引っ掛かり排水タンク１が外れにくくなることも防ぐことができる。
【００３６】
次に、蓋５に形成するドレン孔４の位置を、着脱方向に対して蓋５の中央より手前側に設けているので、ドレン孔４がタンクケース裏面７から距離を保つことができるため、排水タンク１を引出す時に、タンクケース裏面７に当たって跳ね上がる水がドレン孔４から飛び出すのを抑えることができる。また、タンク中央部付近のため、持ち運ぶときもドレン孔４から水飛びを抑えることができる。
【００３７】
さらに、本実施の形態では、ドレン孔４の位置を、蓋凸部１０の後方に設けているので、タンク壁面が引出し方向に対し垂直でないため跳ね返りの方向をずらすとともに、壁との距離も離れるため、ドレン孔４から水飛びしにくくできる。
【００３８】
また、排水凸部８の底面を排水底面１３となし、この排水底面１３をタンクケース３の底面より上方に形成ししているので、排水タンク１を床などの平面に置いたときでも、排水底面１３が床面より浮いた位置にあるので、手を入れて排水タンク１を持ちやすくなる。
【００３９】
また、排水底面１３とタンクケース３の底面の間に正接する曲面部１４を設けることで、排水タンク１を本体１０１に挿入するとき、上下方向のクリアランスが大きいため挿入しやすく、底面が正接曲面または傾斜面になっているのでそのまま滑らせて挿入することで徐々に位置規制され嵌ることができる。
【００４０】
（実施の形態１）
図７〜図１１に示すように、ハンドル１６の回動軸１７の側面に形成した突起部１８と、タンクケース３の軸孔１５の上部に形成した補強リブ１９を有し、ハンドル１６を上方に回動したとき、回動軸１７の突起部１８が補強リブ１９に近接している。
【００４１】
また、図８に示すように、回動軸１７に設けた突起部１８の先端部２０は、回動軸１７の中心から先端部２０までの距離より大なる曲率半径の曲面としている。
【００４２】
また、図９に示すように、補強リブ１９に下向きの凹部２１を形成し、この凹部２１に回動軸１７の突起部１８の先端部２０が係合可能としている。
【００４３】
また、図１０に示すように、ハンドル１６の回動軸１７の中心に小穴部２２を形成し、この小穴部２２に嵌入可能な補強金具２３を設けている。
【００４４】
また、図１１に示すように、蓋５に規制リブ２４を設け、ハンドル１６を蓋５の上面に倒したときは、規制リブ２４がハンドル１６の取手部２５以外の付属部２６に近接することにより、付属部２６を持ち上げにくくし、ハンドル１６の取手部２５のみを持ち上げ易くしている。
【００４５】
上記構成において、通常は排水タンク１をハンドル１６の突起部１８で支持する。しかし、満水時や衝撃が掛かる時には排水タンク１とハンドル１６が歪みによって変形し、排水タンク１をハンドル１６の回動軸１７と突起部１８の双方で支持する。そして、負荷が増加したときには支持箇所が増え応力を分散することで強度を増すことができる。
【００４６】
また、回動軸１７に設けた突起部１８の先端部２０が、回動軸１７の中心から先端部２０までの距離より大なる曲率半径の曲面としているので、排水タンク１が満水の時に、補強リブ１９の平面と接触する突起部１８の先端部２０が回転軸半径より大きいので、ハンドル１６が垂直方向から回転すると元の垂直方向に戻ろうとする力Ａが発生するため、ハンドル１６は緩やかに垂直に固定され、排水タンク１が揺れるのを防ぐこととなる。ここで、排水タンク１の重量の増加とともに作用は大きなり、より安定して取り扱うことができる。
【００４７】
また、図９に示すように、補強リブ１９に下向きの凹部２１を形成し、この凹部２１に回動軸１７の突起部１８の先端部２０が係合可能としたものでも、同様に、ハンドル１６は緩やかに垂直に固定され、排水タンク１が揺れるのを防ぐこととなる。ここで、排水タンク１の重量の増加とともに作用は大きなり、より安定して取り扱うことができる。
【００４８】
また、ハンドル１６の回動軸１７の中心に形成した小穴部２２に補強金具２３を嵌入しているので、ハンドル１６の軸に加わる設定荷重の変化に伴って補強金具２３にて補強することができる。
【００４９】
また、ハンドル１６を蓋５の上面に倒したときは、規制リブ２４の働きで付属部２６を持ち上げにくくし、ハンドル１６の取手部２５のみを持ち上げ易くしているので、強度やデザインや構造上などの要因で設けた取手部２５以外の付属部２６を持つような誤使用を防ぐことができ、ハンドル１６を正しく持つことを促すことができる。
【００５０】
なお、本実施の形態では冷凍サイクルを用いた除湿装置を用いたが、シリカゲル、ゼオライトなどの無機質の吸着型吸湿剤を用いた除湿装置や、冷凍サイクルと吸着型吸湿剤を組み合わせた除湿装置を用いてもよい。
【００５１】
また、冷凍サイクルの冷媒としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等を用いることができる。
【産業上の利用可能性】
【００５２】
以上のように本発明にかかる除湿装置の排水タンクは、簡易な構成で水漏れが防止でき、排水作業も容易に行なえ、運搬に使用する取手も便利に操作できるので、ドレン水などが発生する機器より排水タンクに集め、この集めた排水を運搬して放流するための排水タンクの用途に適している。
【符号の説明】
【００５３】
１      排水タンク
２      開口部
３      タンクケース
４      ドレン孔
５      蓋
６      平側壁
７      タンクケース裏面
８      排水凸部
９      溝部
１０    蓋凸部
１１    ヒンジ部
１２    ガイド
１３    排水底面
１４    曲面部
１５    軸孔
１６    ハンドル
１７    回動軸
１８    突起部
１９    補強リブ
２０    先端部
２１    凹部
２２    小穴部
２３    補強金具
２４    規制リブ
２５    取手部
２６    付属部
１０１  本体
１０７  ドレンパン
１１１  蒸発器
１１３  冷凍サイクル
【図１】
0005299536.tif 000002
【図２】
0005299536.tif 000003
【図３】
0005299536.tif 000004
【図４】
0005299536.tif 000005
【図５】
0005299536.tif 000006
【図６】
0005299536.tif 000007
【図７】
0005299536.tif 000008
【図８】
0005299536.tif 000009
【図９】
0005299536.tif 000010
【図１０】
0005299536.tif 000011
【図１１】
0005299536.tif 000012
【図１２】
0005299536.tif 000013
【図１３】
0005299536.tif 000014
【図１４】
0005299536.tif 000015
【図１５】
0005299536.tif 000016
【図１６】
0005299536.tif 000017